(57)【要約】【課題】記録型光ディスクのフォーマットで、フォーマット変調部で発生するエラーがＥＣＣの同一列データに集中する問題点を改善する。【解決手段】記録データに追加の同期フレームを加え、アドレスセクタの構成を１ＥＣＣブロックにつき、奇数個に設定することで、エラーの集中を回避することができる。【選択図】    図６
2004253030.tif 000002
【特許請求の範囲】
【請求項１】
所定長さのアドレスセグメントに分割され、そのアドレスセグメント内の一部の所定位置にプリフォーマット変調部が形成された、スパイラル状の記録トラックを有する光ディスク媒体において、
所定の長さの原データ列を、ブロックに分けてエラー訂正コードを生成付加し、さらに、先頭に同期データと符号化データに変換した固定数データを有する、複数の同期フレームで構成した記録データ列に対して、
同一のエラー訂正コード生成に寄与するデータの符号化データが、一定間隔Ｅで記録データ列内に配置されており、
前記記録データ列に追加同期フレームを加えた記録データブロック長Ｌとアドレスセグメント長Ａとが、自然数ｍを用いて、Ｌ＝ｍＡとなり、かつ、ＡがＥで割り切れないようにした光ディスク媒体。
【請求項２】
記録トラックが所定の単一周波数でウォブリングしており、プリフォーマット変調部において、ウォブリングが変調されており、前記アドレスセグメント内での前記プリフォーマット変調部が２０％以下である請求項１に記載の光ディスク媒体。
【請求項３】
データの記録開始位置および、記録終了位置が追加同期フレーム内に位置する請求項１に記載の光ディスク媒体。
【請求項４】
ＣＡＶ（一定角速度）構成、あるいはゾーンＣＡＶ構成の媒体であって、前記アドレスセグメントは、同一ゾーン内で半径方向に整列しており、前記間隔Ｅ、記録データブロック長Ｌ、アドレスセグメント長Ａは、ディスク中心からの見込み角を単位としている請求項１〜３のいずれかに記載の光ディスク媒体。
【請求項５】
ランド記録トラックおよびグルーブ記録トラックを有し、記録トラックの左右のグルーブ壁を同相でウォブリングさせた光ディスク媒体であり、アドレスセグメント領域内のプリフォーマット変調部の一部において、左右のグルーブ壁が逆相で変化する部分を有することを特徴とする請求項４に記載の光ディスク媒体。
【請求項６】
所定長さのアドレスセグメントに分割され、そのアドレスセグメント内の一部の所定位置にプリフォーマット変調部が形成された、スパイラル状の記録トラックを有する光ディスク媒体を記録再生する光ディスク装置において、
所定の長さの原データ列を、ブロックに分けてエラー訂正コードを生成付加し、さらに、先頭に同期データと符号化データに変換した固定数データを有する、複数の同期フレームで構成した記録データ列に対して、
同一のエラー訂正コード生成に寄与するデータの符号化データが、一定間隔Ｅで記録データ列内に配置されており、
前記記録データ列に追加同期フレームを加えた記録データブロック長Ｌとアドレスセグメント長Ａとが、自然数ｍを用いて、Ｌ＝ｍＡとなり、かつ、ＡがＥで割り切れない記録データを記録再生することを特徴とする光ディスク装置。
【請求項７】
データの記録開始位置および、記録終了位置が追加同期フレーム内に位置することを特徴とする請求項６に記載の光ディスク装置。
【請求項８】
請求項１に記載の記録型光ディスクに用いるフォーマットと同じ記録データ構成を有することを特徴とする媒体であり、プリピットによりあらかじめデータ列が記録された再生専用光ディスク媒体。
【発明の詳細な説明】
【０００１】
【発明の属する技術分野】
本発明は、微小な光スポットを用いて情報の記録および再生を行うことができる光ディスク媒体および光ディスク記録装置及び再生装置に関するものである。
【０００２】
【従来の技術】
記録型の光ディスクにおいては、あらかじめ光ディスク上にプリフォーマット情報を記録されている。光ディスク装置によって光ディスク上にデータ記録が行われるときは、プリフォーマット情報が検出され、この検出情報が参照されて、データの記録位置を決められる。
【０００３】
通常は、光ディスクにスパイラル状に形成された記録トラックを、所定の長さのアドレスセグメントに分割し、それぞれのセグメントに番地を示すアドレスを付与し、このアドレスをプリフォーマットデータとして書き込んでおく。
【０００４】
記録線密度が一定のＣＬＶ構成の光ディスクでは、アドレスセグメント長は、すべて同じ長さとなる。あまりアドレスセグメントが長すぎると、ランダムアクセスでアドレス情報を探す時間が増えるので、１周回が１０〜数１０個のアドレスセグメントで構成されるような長さが選ばれる。
【０００５】
プリフォーマットの与え方として、セグメントの先頭にプリピットとして形成する場合もあるが、その部分はデータ領域として使えなくなるので、最近の記録系媒体では、グルーブの蛇行によるウォブル信号としてデータ記録トラックに重畳してフォーマット情報を記録する方法もある。
【０００６】
ウォブルでフォーマット情報を記録する場合は、位相反転や周波数変化などの変調を掛けることになる。＋Ｒでは、このような手法が用いられている。一方、グルーブ間のランドにプリピットを離散的に形成してフォーマット情報とする方法が、ＤＶＤ−Ｒでは用いられている。
【０００７】
一方、記録するデータは、原データに対して、エラー訂正用のコードを生成し、さらに細かい同期フレームに分割して記録データとする。例えば、ＤＶＤ（デジタルバーサタイルディスク）においては、エラー訂正コードブロック（ＥＣＣブロック）を変調し、所定間隔で同期コードを付加し、複数の同期フレームを生成して、この複数の同期フレームを記録データとしている。
【０００８】
光ディスクに関連する文献としては以下ような文献がある
特許２，６６３，８１７号（文献１）…識別情報が、ランド（Ｌ）とグルーブ（Ｇ）で共有されランドおよびグルーブの中心からずれている。これは、現行のＤＶＤ−ＲＡＭディスク規格に関連している。
【０００９】
特開平０４−１７２６２３号（文献２）、特開２０００−１１４６０（文献３）…グルーブ位置に記録マークを形成し、ランド部にアドレス用ランドプリピットを有する。これは、現行ＤＶＤ−ＲＷディスク及びＤＶＤ−Ｒディスクに関連している。
【００１０】
特開平１１−１４９６４４号（文献４）…Ｌ（ランド）／Ｇ（グルーブ）に記録を行う方法が示され、グレイコードを用いたウォーブル変調によりアドレス情報を記録する。
【００１１】
【特許文献１】
特許２，６６３，８１７号
【００１２】
【特許文献２】
特開平０４−１７２６２３号
【００１３】
【特許文献３】
特開２０００−１１４６０
【００１４】
【特許文献４】
特開平１１−１４９６４４号
【００１５】
【特許文献５】
特開２００１−３４９５２
【００１６】
【発明が解決しようとする課題】
上記ＤＶＤの場合、４１６個の同期フレームが、データを記録するときの最小単位となる。一般にアドレスセグメント長に対して、データ記録長は、長くなるので、複数のアドレスセグメント長に渡って１ＥＣＣ構成分の記録データ列が記録される。このとき、記録後の検索等を容易にするため、１ＥＣＣ構成分の記録データ列が、ちょうど整数個のアドレスセグメント長となるように、また、アドレスセグメント長は、整数個の同期フレームに当てはまるように設計されている。記録データ列の長さＬに対して、アドレスセグメント長Ａは、自然数ｍを用いて、Ｌ＝ｍＡと表される。たとえば＋Ｒフォーマットでは、ｍ＝４となっており、１０４個の同期フレームが１つのアドレスセグメントに記録される。
【００１７】
ここで問題となるのは、記録データ列内は、一定周期で相関性の高いデータが配列されていることと、アドレスセグメントにも一定周期でフォーマット変調部（例えば、アドレス情報）が存在することである。この両者の一定周期が整数倍の関係にあると、ＥＣＣマトリックスの列に属するデータが、フォーマット変調部に重畳してしまうことになる。
【００１８】
２次元に構成したＥＣＣマトリックスは、ランダムに発生するエラーの訂正能力は高いが、特定の列や行に誤りが集中すると、データの信頼性は、ランダムの場合に比べて低下することになる。
【００１９】
記録再生マージンがある程度確保出来ているＤＶＤの場合は、実用的にあまり大きな問題ではないが、さらに記録密度を上げる次世代の光ディスクのような場合には、このままの構成ではフォーマット情報が記録再生データの劣化に与える影響が大きすぎる問題点がある。
【００２０】
また、最近では光ディスクの大容量化が要望されている。これを実現するために、光ディスク基板に形成した溝状のグルーブと、溝と溝の間のランドの両方を記録トラックとして用いる、所謂ランド・グルーブ光ディスクが開発されている。しかしこのランド・グルーブ光ディスクの場合、ランド記録トラックのフォーマット情報（アドレス）と、グルーブ記録トラックのフォーマット情報（アドレス）とをどのように構成するかが課題となる。誤り検出が無く、検出手段も簡易であることが望まれる。
【００２１】
（Ａ）そこで、本発明の目的は、上記の問題点を生じることなく、良好な高密度記録を行うことが出来る光ディスク媒体および光ディスク記録装置及び再生装置、光ディスク記録方法及び再生方法を提供することにある。
【００２２】
（Ｂ）またこの発明の目的は、ランド・グルーブ光ディスクにおけるフォーマット情報の記録方式としてウォブル方式を採用し、フォーマット情報を安定して検出することができるようにした光ディスク媒体および光ディスク記録装置及び再生装置、光ディスク記録方法及び再生方法を提供することにある。
【００２３】
【課題を解決するための手段】
上記の目的を達成するために、本発明の思想は、光ディスク媒体において、所定長さのアドレスセグメントに分割され、そのアドレスセグメント内の一部の所定位置にプリフォーマット変調部が形成された、スパイラル状の記録トラックを有する光ディスク媒体において、所定の長さの原データ列を、ブロックに分けてエラー訂正コードを生成付加し、さらに、先頭に同期データと符号化データに変換した固定数データを有する、複数の同期フレームで構成した記録データ列に対して、同一のエラー訂正コード生成に寄与するデータの符号化データが、一定間隔Ｅで記録データ列内に配置されており、前記記録データ列に追加同期フレームを加えた記録データブロック長Ｌとアドレスセグメント長Ａとが、自然数ｍを用いて、Ｌ＝ｍＡとなり、かつ、ＡがＥで割り切れないようにしたことを基本としている。
【００２４】
また本発明では、上記の思想との組み合せ或は単独の思想として、上記目的を達成するために、グルーブ記録トラックとランド記録トラックとが交互に配置され、スパイラル状の記録トラックを形成している光ディスク媒体において、半径方向で複数のゾーンが設定され、同一ゾーン内では、半径方向に整列しており、かつ光ディスク中心から一定の見込み角を有するアドレスセグメントに記録トラックが分割されており、アドレスセグメントの一部分にフォーマット情報記録領域が設定されており、フォーマット情報記録領域は、グルーブ記録トラックとランド記録トラックに共通のフォーマット情報を記録する第１の領域と、グルーブ記録トラックに固有のフォーマット情報を記録する第２の領域と、ランド記録トラックに固有のフォーマット情報を記録する第３の領域とに分割されているものである。
【００２５】
【発明の実施の形態】
以下、この発明の実施の形態を図面を参照して説明する。
【００２６】
先ず本発明の具体例を説明する前に、前提となる技術を説明する。図１において、光ディスク１は、通常はスパイラル状に形成された記録トラック２を有する。記録トラック２は、所定の長さのアドレスセグメント３に分割され、それぞれのアドレスセグメント３にはアドレスが付与される。このアドレスは、プリフォーマットデータとして各アドレスセグメント３に書き込まれている。
【００２７】
記録線密度が一定となる、ＣＬＶ方式を採用した光ディスクでは、アドレスセグメント長は、全て同じ長さとなる。アドレスセグメント長が長すぎると、ランダムアクセスでアドレス情報を探す時間が増えるので、１周回が１０〜数１０個のアドレスセグメント３となるような長さが選択される。
【００２８】
プリフォーマットとしては、アドレスセグメント３の先頭にプリピットとして形成する方法がある。しかしプリフォーマットの部分はデータ領域としては利用できない。この問題を改善するために、グルーブの蛇行によるウォブル信号を、データ記録トラックに形成し、このウォブル信号でフォーマット情報を表すという方法がある。
【００２９】
ウォブルでフォーマット情報を記録する場合は、位相反転、周波数変化などの変調を掛けたウォブル信号を記録することになる。＋Ｒでこのような手法がとられている。一方、ＤＶＤ−Ｒでは、グルーブ間のランドにプリピットを離散的に形成して、フォーマット情報を表している。
【００３０】
次に、図２を参照してＤＶＤにおける記録データ列について説明する。
【００３１】
記録したいデジタルデータにＩＤ情報等が付加され、次に、データのスクランブルが行われる。これにより、ＥＣＣ構成前の原データ列Ｂ００，Ｂ０１，Ｂ０２……が生成される（図２（Ａ））。この原データ列の各バイト成分がＥＣＣ構成をするために２次元マトリックスに配置される（図２（Ｂ））。
【００３２】
原データＢ００，Ｂ０１，Ｂ０２……が構成するマトリックスは、１９２行×１７２バイト列である。この行方向のデータ並びに対して、内パリティとしてのＰＩが１０バイト生成され、Ｐ００，Ｐ０１，……として各行に追加される。また列方向の並びからも外パリティとしてＰＯが生成され、Ｑ００，Ｑ１０……として１６行が各列に追加される。ＰＯの行方向の並びからもパリティが生成され、Ｒ００，Ｒ０１……としてマトリックスに追加される。
【００３３】
このようにして、１つのＥＣＣ構成のマトリックスとして、２０８行×１８２バイト列が形成される。このマトリックスの行を入れ替えて、ＰＯの行を再配置したあと、各行を１列につなげて符号化前データ列Ｂ００，Ｂ０１，Ｂ０２……が形成される（図２（Ｃ））。このデータ列を、９１バイトのデータに区切り、８／１６符号化変換とＮＲＺＩ変換を行い、さらに先頭に固有の同期パターンＳ０を加え、Ｓ０，Ｂ’００，Ｂ’０１……という同期フレームを形成する（図２（Ｄ））。Ｂ’ｎｍは、Ｂｎｍの符号化データに相当する。同期フレーム２つで、ＥＣＣ構成マトリックスの一行分のデータを収納しているので、全部で４１６個の同期フレームの連続として、記録データ列が構成される。
【００３４】
この記録データ列を見ると、図３に示すように、ＥＣＣ構成マトリックス上で同じ列に属するデータバイトＢ’ｎａ，Ｂ’ｎｂ，…，Ｂ’ｎｃ，Ｂ’ｎｄ……が、同期フレーム長２個分に相当する一定の間隔Ｅで配置されていることが分かる。
【００３５】
先に述べたアドレスセグメントに対して、このような記録データ列を記録した場合、図４のような位置関係となる。
【００３６】
アドレスセグメント内では、所定の位置にフォーマット情報４が配置されている。ウォブルを用いた場合は、ウォブル信号がフォーマットデータに応じて変調された、フォーマット変調部となる。フォーマット変調部以外は、周期が一定の蛇行構造で記録トラック溝が形成されるが、変調部では、位相や周期の不連続なトラック溝が必要となり、基板作成において雑音レベルが高くなりやすい。
【００３７】
このようなアドレスセグメントに対して、記録データ列を記録した場合、＋Ｒフォーマットでは、Ａ＝５２Ｅと、ちょうど整数倍の関係となっていることである。
【００３８】
しかしこれでは、先に述べたように記録データ列内は、一定周期で相関性の高いデータが配列されていることと、アドレスセグメントにも一定周期でフォーマット変調部（例えば、アドレス情報）が存在することである。この両者の一定周期が整数倍の関係にあると、ＥＣＣマトリックスの列に属するデータが、フォーマット変調部に重畳してしまうことになる。
【００３９】
例えば、図５に示すように、両側の壁が同相でウォブルされた中に、逆相部分を形成してフォーマット変調部を設けるような構造の場合、この部分の記録したデータは、グルーブ幅の変化による反射率の変動を受けて、再生信号エンベロープが変動するため、エラー特性の悪化が生じる。ＤＶＤの３倍程度の高密度記録を行った場合、実測で１０−６のエラーレートが、１０−５に劣化することも見られた。
【００４０】
そこで本発明では、図３に示す、原データ列からＥＣＣマトリックスを構成し、同期フレームによって構成した記録データ列を採用する。これに対し、アドレスセグメント領域の長さＡは、同期フレーム数によって規定されることになる。このとき、本発明では、記録データ列に対して、アドレスセグメントを奇数個に設定できれば、Ｅで割り切れることを回避しやすくなることに着目している。
【００４１】
ＤＶＤの例では、記録データ列は４１６＝２×２×２×２×２×１３と素因数分解されるので、奇数は１３しか無い。さすがに、これではアドレスセグメント１つの長さが短くなりすぎて、記録データに影響を与えずにフォーマット情報を重畳するのが難しくなる。
【００４２】
そこで、本発明では、記録データ列に適当な少数の追加同期フレーム加え、記録データブロック列として、記録の最小単位を構成する。この追加同期フレームには、適当なフォーマット情報を記録しても良いし、まったくのダミーデータを記録してもよい。
【００４３】
例えば、４１６＋１＝４１７＝３×１３９となり、記録データブロック列を３つのアドレスセグメントに記録することが可能となる。アドレスセグメント長Ａは、１３９個の同期フレームとなる。
【００４４】
このような配置にすると、図６で示すアドレスセグメントと記録データブロック列の関係が実現できる。
【００４５】
アドレスセグメントにはフォーマット変調部４があるが、先頭のアドレスセグメントで記録データの中の例えばＢ’ｎａに変調部が重畳した場合（矢印Ａ１の部分）でも、次に続くアドレスセグメントでは、Ｅ＝２でＡが割り切れないので、Ｂ’ｎｄはフォーマット変調部からはずすことが可能となる（矢印Ａ２の部分）。
【００４６】
Ｂ’ｎａ、Ｂ’ｎｄ  は、ＥＣＣ構成マトリックスにおいて、列方向に並ぶ同期フレームであり、互いに相関性が強い。
【００４７】
上記のような配列により、ＥＣＣ構成マトリックスの同一列要素がエラーする確率を下げることができ、安定な記録再生が可能となる。
【００４８】
上記の説明では、図２に示すように、１つのＥＣＣ構成のマトリックスを１つの記録データ列に変換して記録する例を示した。しかしこの発明は、高密度記録に対して、エラー訂正能力（ＥＣＣ耐性）を向上させるため、２つの記録データ列を用いてもよい。この場合、２つの記録データ列を同期フレームの整数倍の単位で交互にミックスして、２倍の長さの記録データ列を用いたフォーマットとするものである。このフォーマットにおいても本発明の考え方は、適用可能である。このとき同じ列に属するデータの間隔Ｅは、Ｅ＝２やＥ＝４となる。
【００４９】
例えば、同期フレーム数で４１６×２＝８３２が記録データ列とすると、１つの追加同期フレームを加えて、８３３を記録データブロック列とする。８３３＝７×７×１７となり、７つのアドレスセグメントで１つの記録データブロックを構成することが出来る。Ａ＝１１９となり、Ｅ＝２あるいはＥ＝４など、では割り切れない構成を実現することができる。
【００５０】
この構成では、追加同期フレームによるフォーマット効率の低下は、わずか１÷８３３＝０．１２％と小さなものであり、再生専用光ディスクの記録データ構成としても十分利用可能なものである。
【００５１】
図６に示す追加同期フレームを含む記録データブロック列をそのまま記録の単位として用いても良いが、複数の記録データブロック列を書き継いでいく場合、ダミーデータ列である追加同期フレームの中で継ぐことも可能となる。
【００５２】
図７は、このような場合の構成を示す。複数の記録データブロック列で構成される記録データに対し、先頭は同期フレーム長より短い先頭追加同期フレーム（ガード領域と称しても良い）とする。複数の連続した記録データブロック列の間の追加同期フレーム長はそのままとする。記録の最後の部分に、同期フレームより短い、終端追加同期フレームを加える。
【００５３】
このようにダミーデータ内で書き継ぎを行えば、仮に記録位置の僅かなシフトが発生しても、ダミーデータが読み出せないだけであって、本来の記録データ列のデータの再生に影響を与えないで済むことになる。
【００５４】
先頭追加同期フレームと終端追加同期フレームを足し合わせた長さは、図７に示すように、同期フレーム長より少し長くして、記録済みデータと追加記録データのような関係とすることもできる。重なり部分を有することで、記録位置のずれに対してすき間が空かないようにすることが出来る。また、相変化媒体などの書換型媒体で、記録開始位置を前後にランダムにシフトして、繰り返し耐性を向上させるような場合、想定されるシフト量以上の長さを重ねておくことも可能となる。
【００５５】
本発明では、フォーマット変調部とＥＣＣ構造のデータの並びが、整列しないようにすることが本質であるが、アドレスセグメント内で、フォーマット変調部の割合が増えてしまうと、アドレスセグメント内の別の場所にあるフォーマット変調部に、ＥＣＣマトリックスの同一列のデータがかかってしまう可能性が多くなる。
【００５６】
そこで、アドレスセグメント内でのフォーマット変調部の長さの割合を制限することが有効である。先に図５の例で説明したように、高密度記録では、変調部は最悪１桁程度のデータ再生エラーレートの劣化を招く場合がある。どの程度のエラーレート悪化まで許容するかは、装置設計次第だが、２〜３倍程度が妥当な設計値である。
【００５７】
フォーマット変調部の長さを２０％とすると、エラー数の増加は０．８＋０．２×１０＝２．８となり、３倍弱の妥当な数値が得られる。
【００５８】
もちろん、フォーマット変調部の長さが短ければ短いほど、データ再生に対する影響は減るが、あまり短すぎると必要なフォーマット情報を入れられなくなるので、１０〜２０％程度が妥当な設計範囲となる。このフォーマット変調部は、アドレスセグメントの先頭に集中して設けることも可能であるが、適当に分散して設けることもできる。
【００５９】
以上の説明では、記録密度一定のＣＬＶ構成の光ディスクを想定していたが、一定角速度（ＣＡＶ）やゾーンＣＡＶのように、ある半径範囲で、角回転速度が一定となるような構成の光ディスクにも適用可能である。
【００６０】
図８にゾーンＣＡＶ構成の例を示す。光ディスク１内は、いくつかのゾーンＺ０、Ｚ１，…に分割され、同一ゾーン内の記録トラック２は、図に示すように、アドレスセグメント３が、半径方向にアラインした構造となっている。この場合は、光ディスク中心に対する見込み角を長さの単位とすると、これまでの長さに関する議論をそのまま適用することが出来る。例えば、同一ゾーン内の内周側と外周側とでは、アドレスセグメントの記録トラック方向に沿った物理長は異なっているが、中心に対する見込み角は同一のため、同じ長さと考えることになる。
【００６１】
従って、追加同期フレームを加えた記録データブロック列の使用、記録データブロック列を奇数個のアドレスセグメントで構成すること等も同じように有効となる。
【００６２】
ゾーンＣＡＶは、トラック溝間のランド部も記録トラックとして使用する、ランド、グルーブ記録型の光ディスクに対して有効なフォーマットである。これは、グルーブウォブルをそのままランドウォブルデータとして利用できるからである。
【００６３】
図９は、そのようなランド、グルーブ型の光ディスクのフォーマット構成例を示す。アドレスセグメント領域内の、フォーマット変調部に相当する部分の例である。
【００６４】
グルーブフォーマット変調部では、グルーブ記録トラック５に対して、両側の壁が同相で変化するように形成されており、ウォブル変調としてフォーマットデータをグルーブから再生出来る。ランドフォーマット変調部では、ランド記録トラック６に対して、両側の壁が同相で変化するように形成されており、ウォブル変調としてフォーマットデータをランドから再生出来る。このような変調構成では、グルーブフォーマット変調部のランド記録トラック６、ランドフォーマット変調部のグルーブ記録トラックでは、両側のグルーブ壁が逆相で変化する部分が発生する。
【００６５】
このような部分で、重畳して記録したデータの再生時はエラーレートが悪化しやすので、図６で示した本発明のようなアドレスセグメント配置が有効に機能する。
【００６６】
図１０は、本発明で用いる光ディスク装置の実施例を示す図である。スピンドル１０にセットされた光ディスク１に対して、光ヘッド１１で記録および再生を行う。原データはＥＣＣ構成回路１５でパリティが付加され、記録データブロック列生成回路１６で、追加同期フレームを加えて記録用のデータ列が生成され、光ヘッド１１に送られる。記録の先頭と終端の追加同期フレームも適切にここで選択される。
【００６７】
光ヘッド１１からの再生データは、フォーマット検出回路１２でアドレスセグメントから取り出され、データ再生回路１３でエラー訂正を施して、原データに再生する。
【００６８】
以上の説明は、追加記録型光ディスク媒体や書換型光ディスク媒体のように、アドレスセグメントがプリフォーマットとして記録された媒体について行ってきた。
【００６９】
しかし、追記型媒体との互換フォーマットが好ましい、ＲＯＭ型媒体においても、フォーマット効率の大きな低下なく導入可能な記録データフォーマットとなっている。ＲＯＭ型媒体の場合、フォーマット変調部が光ディスク自身には無いため、直接データ劣化が問題となることは無いが、追記型媒体と互換を維持するために、本発明の構成を採用することは、光ディスク装置を低コストで構成するためにも有効なものである。
【００７０】
本発明により、高密度記録に対しても有効なデータ記録が可能な光ディスク媒体および光ディスク装置を実現することが出来る。
【００７１】
上記したように本発明では、光ディスク媒体において、所定長さのアドレスセグメントに分割され、そのアドレスセグメント内の一部の所定位置にプリフォーマット変調部が形成された、スパイラル状の記録トラックを有する光ディスク媒体において、所定の長さの原データ列を、ブロックに分けてエラー訂正コードを生成付加し、さらに、先頭に同期データと符号化データに変換した固定数データを有する、複数の同期フレームで構成した記録データ列に対して、同一のエラー訂正コード生成に寄与するデータの符号化データが、一定間隔Ｅで記録データ列内に配置されており、前記記録データ列に追加同期フレームを加えた記録データブロック長Ｌとアドレスセグメント長Ａとが、自然数ｍを用いて、Ｌ＝ｍＡとなり、かつ、ＡがＥで割り切れないようにしたことを基本としている。
【００７２】
さらに本発明に係る別の光ディスク媒体は、記録トラックが所定の単一周波数でウォブリングしており、プリフォーマット変調部において、ウォブリングが変調されており、アドレスセグメント内でのプリフォーマット変調部が２０％以下であってもよい。
【００７３】
さらに本発明に係る別の光ディスク媒体は、データの記録開始位置および、記録終了位置が追加同期フレーム内に位置するように構成される。また本発明に係るの別の光ディスク媒体は、ＣＡＶ構成、あるいはゾーンＣＡＶ構成の媒体であって、アドレスセグメントは、同一ゾーン内で半径方向に整列しており、間隔Ｅ、記録データブロック長Ｌ、アドレスセグメント長Ａは、ディスク中心からの見込み角を単位としている。さらにまた本発明の別の光ディスク媒体は、ランド記録トラックおよびグルーブ記録トラックを有し、記録トラックの左右のグルーブ壁を同相でウォブリングさせた光ディスク媒体において、アドレスセグメント領域内のプリフォーマット変調部の一部において、左右のグルーブ壁が逆相で変化する部分を有する。
【００７４】
本発明に係る光ディスク装置は、所定長さのアドレスセグメントに分割され、そのアドレスセグメント内の一部の所定位置にプリフォーマット変調部が形成された、スパイラル状の記録トラックを有する光ディスク媒体を記録再生する光ディスク装置である。ここで、所定の長さの原データ列を、ブロックに分けてエラー訂正コードを生成付加し、さらに、先頭に同期データと符号化データに変換した固定数データを有する、複数の同期フレームで構成した記録データ列に対して、同一のエラー訂正コード生成に寄与するデータの符号化データが、一定間隔Ｅで記録データ列内に配置されており、前記記録データ列に追加同期フレームを加えた記録データブロック長Ｌとアドレスセグメント長Ａとが、自然数ｍを用いて、Ｌ＝ｍＡとなり、かつ、ＡがＥで割り切れない記録データを記録再生するように構成されている。また本発明の別の光ディスク装置は、データの記録開始位置および、記録終了位置が追加同期フレーム内に位置する。また、本発明の再生専用光ディスクでは、追記型光ディスクとおなじ追加同期フレームを有する記録データフォーマットを有する。
【００７５】
さらに本発明では、記録密度を向上したグルーブ・ランド記録光ディスクに対して、ウォブル方式を実現し、確実に、安定なフォーマット情報の検出が可能なように工夫されている。これから説明する本発明の考え方は、上記の説明の考え方と合わせて実施されてもよいし、単独で実施されても有効なものである。
【００７６】
つまり基本的には、グルーブ記録トラックとランド記録トラックとが交互に配置され、スパイラル状の記録トラックを形成している光ディスク媒体において、半径方向で複数のゾーンが設定され、同一ゾーン内では、半径方向に整列しており、かつ光ディスク中心から一定の見込み角を有するアドレスセグメントに記録トラックが分割されており、アドレスセグメントの一部分にフォーマット情報記録領域が設定されており、フォーマット情報記録領域は、グルーブ記録トラックとランド記録トラックに共通のフォーマット情報を記録する第１の領域と、グルーブ記録トラックに固有のフォーマット情報を記録する第２の領域と、ランド記録トラックに固有のフォーマット情報を記録する第３の領域とに分割されているものである。
【００７７】
図１１（Ａ）は、ウォブルによってフォーマット情報記録した記録トラック構造の例である。グルーブ記録トラック１は、周期的に蛇行しており、ウォブル変調部では、蛇行の位相を１８０度反転した部分を形成することで情報の記録を行っている。ウォブルの検出は、トラックエラーの検出に用いられるのと同じ、反射光の分布の偏りから得られる、プッシュプル信号検出による。図１１（Ｂ）に、検出した再生信号の例を示す。蛇行に対応した再生信号が得られる。ウォブルの周期は、この上に記録するデータの再生に影響を与えないように、データの記録周期に比べて、数十倍以上の十分に長い周期が用いられる。
【００７８】
ウォブルを用いる場合は、記録データ領域とフォーマット情報領域を重ねることができるため、記録データ容量が大きく出来るという利点がある。
【００７９】
ウォブル方式では、記録トラックの両側の壁をほぼ同相で蛇行させることで、安定した検出出力を得ている。ところが、ランド・グルーブ構成の記録トラックでは、ランド記録トラックとグルーブ記録トラックの境界の壁は、両方の記録トラックで共用しているため、両者のフォーマット情報が異なる場合に、共用部分では、変調することができない問題点がある。
【００８０】
これを解決するためにフォーマット情報領域（アドレス領域）をずらして２つ設ける方式が提案されている。しかしこの方式では、２つのフォーマット情報領域（アドレス領域）とは別に、使用する領域の識別用の信号（ウォブル信号とは異なる信号）をさらに記録する必要がある。つまり、問題となるのは、本来読み出せない側のアドレス領域から情報が再生された場合である。どちらが正しい情報か、判断が出来なくなってしまうことになるからである。このことは、検出手段も余分に必要となることである。
【００８１】
そこで本発明は、アドレスセグメントの一部分にフォーマット情報記録領域が設定されており、フォーマット情報記録領域は、グルーブ記録トラックとランド記録トラックに共通のフォーマット情報を記録する第１の領域と、グルーブ記録トラックに固有のフォーマット情報を記録する第２の領域と、ランド記録トラックに固有のフォーマット情報を記録する第３の領域とに分割するようにしたものである。
【００８２】
また別の本発明の光ディスク媒体は、第２の領域および第３の領域に記録されるフォーマット情報は、各アドレスセグメントの半径位置を表すアドレス情報（トラックアドレス）のみであり、一周回の連続したアドレスセグメントには、同一のアドレス情報が記録されている。
【００８３】
また本発明の光ディスク媒体は、第２の領域および第３の領域に記録されるアドレス情報は、隣接するグルーブ記録トラック間、または隣接するランド記録トラック間で、データの差異が最小となるグレーコードを有する。さらにまた、別の本発明の光ディスク媒体は、グルーブの両側の壁を蛇行させたウォブル構造を有しており、アドレスセグメント内のフォーマット情報記録領域以外は、グルーブ記録トラックおよびランド記録トラックともに、両側の壁が略同相でかつ、同一のゾーン内で一定の見込み角をもつ周期で蛇行しており、第１の領域では、グルーブ記録トラックおよびランド記録トラックともに、両側の壁が略同相で、フォーマット情報に対応して変調されたウォブル構造を有しており、
第２の領域では、グルーブ記録トラックの両側の壁が略同相で、フォーマット情報に対応して変調されたウォブル構造を有しており、第３の領域では、ランド記録トラックの両側の壁が略同相で、フォーマット情報に対応して変調されたウォブル構造を有している。
【００８４】
また別の本発明の光ディスク媒体は、フォーマット情報記録領域は、複数のサブフォーマット情報記録領域に分割され、分散してアドレスセグメント内に配置されており、各サブフォーマット情報記録領域の長さは、フォーマット情報記録領域以外のウォブル構造の蛇行周期の２０倍以下である。
【００８５】
本発明では、光ディスク媒体を記録再生するとき、グルーブ記録トラックを記録再生するときには、第１の領域と第２の領域のフォーマット情報を使用し、ランド記録トラックを記録再生するときには、第１の領域と第３の領域のフォーマット情報を使用する記録再生装置である。また、本発明の光ディスク記録再生装置は、グルーブの両側の壁を蛇行させたウォブル構造を有しており、フォーマット情報記録領域は、複数のサブフォーマット情報記録領域に分割され、分散してアドレスセグメント内に配置されており、各サブフォーマット情報記録領域の長さは、フォーマット情報記録領域以外のウォブル構造の蛇行周期の２０倍より小さい光ディスク媒体を記録再生するときに、ウォブル構造の蛇行周期を検出し、同期クロックを生成する回路を有し、フォーマット情報記録領域の検出信号は、前記クロック生成回路の入力として利用しない。
【００８６】
図８に示したように、本発明に用いるゾーン構造の光ディスク１は、半径方向に複数のゾーンＺ０、Ｚ１、…に分割されており、ゾーン内のスパイラル状の記録トラック２は、ランド記録トラックとグルーブ記録トラックから構成されており、同一ゾーン内では、右図に示すようにアドレスセグメント３が半径方向に整列した構成となっている。
【００８７】
このようなアドレスセグメントの配置を取った場合、個々のアドレスセグメントの番地を表す方法として、１つは、それぞれのアドレスセグメントにすべて固有の番号を与える方法である。この場合は、ランド記録トラックとグルーブ記録トラックのアドレス記載領域を完全に分割する必要があり、アドレスセグメント内でフォーマット情報を記録するための領域を２倍確保する必要が生じてしまう。
【００８８】
本発明では、アドレスセグメントの番地を表す方法として、いくつかの表記を組み合わせることを考え、同一ゾーン内で半径方向に隣接したアドレスセグメントは、なるべく多くの共通フォーマット情報を有する構成とする。例えば、共通のアドレス情報としては、ゾーン番号、周回方向のセグメント番号を与え、半径方向の位置アドレス情報のみ、グルーブ記録トラックとランド記録トラックそれぞれに固有のフォーマット情報として与えることにする。このようにすれば、それぞれの記録トラックの固有情報量を大幅に減らすことが出来る。
【００８９】
図１２は、このようにして構成したアドレスセグメントの実施例を示す。グルーブ記録トラック５とランド記録トラック６が交互に配置され、半径方向に整列したアドレスセグメントを構成している。
【００９０】
実際の光ディスク媒体では、図８のような円弧状のアドレスセグメント３となるため、ゾーンの内側と外側では物理長は異なっている。しかし、光ディスク中心に対する見込み角は常に一定となるので、見込み角を長さと読み替えて、以下の説明や図では、便宜的に同じ長さでアドレスセグメントを記載している。
【００９１】
アドレスセグメント３内には、半径方向に隣接するアドレスセグメント間で共通のフォーマット情報を記録する第１の領域７，グルーブ記録トラックの固有情報を記載する第２の領域８，ランド記録トラックの情報を記載する第３の領域９が、半径方向に整列するように配置されている。
【００９２】
本図では、各領域は１つの連続した領域として配置しているが、それぞれの領域を更に小さなサブフォーマット情報記録領域に分割して、複数箇所に分散して配置することも可能である。また、並ぶ順番も、このままでなく入れ替えて、例えば、第１の領域が最後でもよい。
【００９３】
第２の領域および第３の領域に記録するフォーマット情報は、番地の割付方によって半径方向の位置を示すアドレスのみに限定することが出来る。この場合、スパイラル状記録トラックの一周回分のアドレスセグメントは、同一のアドレス情報を持たせることが可能であり、トラック方向に連続する複数のアドレスセグメントで同一の情報とすることが出来る。このような場合、複数のアドレスセグメントの検出結果より、第２の領域や第３の領域の情報を確定することが出来るので、個々の領域のフォーマット情報にパリティ等の付加情報を加えなくても、必要な検出性能を確保出来るようになる利点がある。
【００９４】
一方、第１の領域７の情報は、周回方向の位置情報を含むため、トラック方向の隣接アドレスセグメント間では異なるものとなる、従って、エラー検出のパリティ等の情報を加えて検出信頼性を確保することが望ましい。
【００９５】
このように、第２の領域８および第３の領域９の情報量を限定した場合でも、グルーブ記録トラックから見た第３の領域９およびランド記録トラックから見た第２の領域８は、左右の隣接記録トラックの情報が異なる領域となる。このような領域は、フォーマット情報検出時に検出出力が不定な領域となり、あまり長いのは好ましくない。
【００９６】
そこで、さらにこの情報の違いを減らすため、図１３に示すようなグレーコードをアドレス情報表記の手段として用いてもよい。
【００９７】
グレーコードは、通常の２進コードと異なり、隣接コードの間で、各要素の違いが１カ所に限定される特徴を持つ。このようなコードを用いれば、隣接記録トラック間の情報が異なる部分は、領域内の更に狭い部分に限定することが出来る。
【００９８】
図１４は、ウォブルの位相変調を用いてフォーマット情報を記載した実施例である。
【００９９】
グルーブ記録トラック５とランド記録トラック６が交互に配置され、半径方向に整列して、フォーマット情報を位相変調で記録するための、第１の領域、第２の領域、第３の領域、が形成されている。第２および第３の領域は、更に複数に分割されている。
【０１００】
上記３つの領域以外では、グルーブ壁は、すべて同一の周期と位相で蛇行している。第１の領域では、位相反転による情報記録がされているが、半径方向にすべてのグルーブ壁は同相で変化している。第２の領域では、グルーブ記録トラックから見て両側の壁が同相で変化するように形成されており、第３の領域では、ランド記録トラックから見て両側の壁が同相で変化するように形成されている。
【０１０１】
グルーブ記録トラックを記録再生するときは、第１と第２の領域を、ランド記録トラックを記録再生するときは、第１と第３の領域からフォーマット情報を得れば良いことが分かる。光ディスクの記録再生装置からの光スポットが、ランドとグルーブのどちらに位置しているかは、グルーブからトラッキングサーボ用に検出するプッシュプル信号の極性によって、容易に判断することができるので、特別な識別用のマークをそれぞれの記録トラックに設ける必要は無い。
【０１０２】
このようなウォブル構造をもつ光ディスク基板の原盤の製造方法として、１つのグルーブ溝を形成するときに、２つの半径方向に１部が重なり合うカッティングビームを用い、左右の壁を独立に変調することが考えられる。同相で蛇行する部分、逆送で蛇行する部分を容易に作ることができる。
【０１０３】
もう一つは、１つのカッティングビームだけで製造する場合で、同相の部分は従来通り、カッティングビームを左右に蛇行させて形成し、逆相部分は、ビームの強度を変化させ溝の幅を変調する方法である。この逆相部分は第３の領域の形成に必要となるものである。ビームの蛇行と、ビームの強度変化で、全く同じ壁の振幅を実現するのは難しいが、たとえ蛇行の半分でも壁の振幅が溝幅の変調で実現できていれば、十分にウォブル信号を検出可能である。
【０１０４】
また、記録する情報として、グレーコードを用いる場合は、図１３のコード表から分かるように、あるデータに対してその前後のデータとビット情報が異なる部分は別の桁となっている。例えば、００００１１のコードの前のコードは、左から２桁目が変化した０００００１である。従って、間に形成するグルーブ溝は、この２桁目の位置で溝幅変調となる。一方、次のコードは００００１０となり、２桁目は変化しないので、その間に形成するグルーブは、通常の蛇行構造となる。これが、グレーコードを用いる場合の特徴である。
【０１０５】
つまり、ビット情報の異なる部分の間のグルーブのみ逆相の変調となり、ランド記録トラック側から見て反対側は、必ず同相のグルーブ変調となっている。従って、仮に逆相の変調振幅が０で壁の蛇行のないまっすぐなグルーブとなっていても、反対側の壁の蛇行から、ウォブル信号を検出可能である。このとき、信号振幅は半分となるが、信号のＳ／Ｎのマージンを十分確保しておけば、実現可能な利点がある。
【０１０６】
図１５（Ａ）に、ウォブルにより形成したフォーマット情報の第２領域近傍の配置とウォブルからの検出再生信号を示す。記録トラックの中に第２の領域が形成されている。その下には、グルーブ記録トラック５から再生した信号波形（図１５（Ｂ））と、まん中のランド記録トラック６から再生した信号波形（図１５（Ｃ））を示す。この図から分かるように、ランド記録トラックでは、両側の壁が逆相で変化した場合、再生信号振幅が無くなることが分かる。同様に第３の領域では、グルーブ記録トラック側でこのような現象が発生する。
【０１０７】
フォーマット情報をこの振幅のない部分から再生することはないが、記録再生装置では、ウォブル再生信号より単一周期の部分の波形に同期したクロックを生成し、各種動作に必要なタイミングを生成している。したがって、長期間振幅が無い領域が連続すると、同期クロックの生成が難しくなる。また、振幅が０で無でなくても、変調がかかっている場合は、位相の不連続部分等で検出信号が不定になりやすく、安定な同期クロック検出には好ましくない。
【０１０８】
どの程度変調領域が続いても安定な同期クロックが作成できるかは、回路の設計に依存するが、記録動作を行う元クロックとなるので、変動周波数の許容範囲は２％程度となる。仮に２％の周期ずれがある状態でウォブル再生信号が無くなったとすると、２０周期後には、４０％の位相ずれが積算されることになる。同期クロックの生成回路では、再生信号の自信の生成クロックの位相ずれを検出して、生成クロックの補正を行うが、位相引き込み制御ができるのは±５０％の範囲が限界である。従って、マージンも考慮すると、変調部分の長さとしては、２０周期以下に制限することが望ましい。
【０１０９】
必要なフォーマット情報がこの長さ以上の場合は、先に述べたように複数のサブフォーマット情報記録領域に分割し、分散して配置すれば、同期クロックの生成に問題は無くなる。
【０１１０】
以上の説明では、１８０度の２値位相変調によるフォーマット情報記録を実施例として用いてきたが、変調の方式はこれに限定されない。位相差が１８０度以下の位相変調でも良いし、周波数変調でもよい。また、フォーマットの１，０の２値データ情報をそのままＮＲＺ変調しても良いし、バイフェーズのような適当な符号化変換を行うことも可能である。また実施例では、ウォブル１周期ごとに位相変調を行う例を示しているが、数周期単位で行って、信頼性を向上することも可能である。
【０１１１】
さらに、サブフォーマット情報記録領域を分割して分散して記録する場合、データパターンと異なる特殊なパターンをその先頭に配置して、記録領域を識別しやすくすることも可能である。もちろん、アドレスセグメントそのものの先頭位置を表すため、第１の領域の一部として、データに使用されない固有パターンを埋め込んでおくことが望ましいので、このパターンとは別のパターンを用いることになる。
【０１１２】
図１６は、本発明の記録再生装置の実施例を示す。光ディスク１はスピンドル１０にセットされ、光ヘッド１１によって、データの記録再生やフォーマット情報の再生が行われる。フォーマット情報の再生動作では、検出されたウォブル再生信号より、ウォブル同期クロック生成回路１７により、ウォブル変調を読みとるための同期クロックが生成される。このクロックと、ランドグルーブ判定回路１８から得られる情報を元に、フォーマット検出回路１９で記録トラックのフォーマット情報を検出する。記録トラックがグルーブの場合は、第１と第２の領域より、ランドの場合は、第１と第３の領域より、フォーマット情報を検出することになる。
【０１１３】
また、ウォブル同期クロック生成回路１７では、フォーマット検出回路１９から得られる情報より、フォーマット情報記録領域を認識して、クロック生成回路の入力を遮断することで、さらにクロックの安定性を向上させることも可能である。
【０１１４】
上記のようにフォーマット情報を、ランドグルーブに共通の情報とそれぞれに固有な情報に分割し、固有情報を最小限に制限して個別に記録を行う。他の記録トラックの固有情報部分のみが検出不可の領域となるので、安定したフォーマット検出を実現することが出来る。これにより、ランド・グルーブ光ディスクにおいて、記録密度が高く、安定なフォーマット情報の検出が可能な、光ディスク媒体およびその記録再生装置を得ることができる。
【０１１５】
上記したように本発明では、フォーマット変調部とアドレスセグメントとの関係に着目している。そしてフォーマット変調部の情報が正確に安定して読取れるように、ディスクの構造を工夫している。この目的から見ると、本発明はさらに他の実施の形態が可能である。即ち、以下の実施の形態は、隣り合う記録トラック間のフォーマット変調部が半径方向へ直線的に配置されるのを避けるように工夫した例である。
【０１１６】
本発明は、再生専用情報記録媒体（次世代ＲＯＭ）、追記形情報記録媒体（次世代Ｒ）、書き換え形情報記録媒体（次世代ＲＡＭ）に適用して効果的である。本発明の特徴的なところを更に詳しく説明することにする。本発明ではＥＣＣブロックに対してガードエリアを加え、このトータルを７セグメントに分けて記録する。
【０１１７】
＜ＥＣＣブロックに関する説明＞
情報記録媒体のデータフィールドに記録されるデータは、図１７に示すように、信号処理段階に応じて、データフレーム（Ｄａｔａ  ｆｒａｍｅ）、スクランブルドフレーム（ｔｈｅ  Ｓｃｒａｍｂｌｅｄ  ｆｒａｍｅ）、記録フレームまたは記録データフィールド（ｔｈｅ  Ｒｅｃｏｒｄｉｎｇ  ｆｒａｍｅ  ｏｒ  ｔｈｅ  Ｒｅｃｏｒｄｅｄ  ｄａｔａ  ｆｉｅｌｄ）と称される。データフレームは、２０４８バイトからなり、メインデータ、４バイトのデータＩＤ、２バイトのＩＤエラー検出コード（ＩＥＤ）、６バイトの予約バイト、４バイトのエラー検出コード（ＥＤＣ）を有する。
【０１１８】
エラー検出コード（ＥＤＣ）が付加された後、メインデータに対するスクランブルが実行される。ここで、スクランブルされた３２個のデータフレーム（スクランブルドフレーム）に対して、クロスリードソロモンエラーコレクションコード（Ｃｒｏｓｓ  Ｒｅｅｄ−Ｓｏｌｏｍｏｎ  ｅｒｒｏｒ  ｃｏｒｒｅｃｔｉｏｎ  ｃｏｄｅ）が適用されて、所謂ＥＣＣエンコード処理が実行される。これにより、記録フレームが構成される。この記録フレームは、アウターパリティーコード（ｔｈｅ  Ｐａｒｉｔｙ  ｏｆ  Ｏｕｔｅｒ−ｃｏｄｅ  （ＰＯ））、インナーパリティーコード（ｔｈｅ  Ｐａｒｉｔｙ  ｏｆ  Ｉｎｎｅｒ−ｃｏｄｅ  （ＰＩ））を含む。
【０１１９】
ＰＯ，ＰＩは、それぞれ３２個のスクランブルドフレームによりなる各ＥＣＣブロックに対して作成されたエラー訂正コードである。
【０１２０】
記録データフィールドは、８／１２変調される。そして、９１バイト毎に先頭に同期コード（ＳＹＮＣ）が付加され記録フレームとなる。１つのデータフィールドに４つの記録データフィールドが記録される。
【０１２１】
図１７は、メインデータから記録フレームまで、データが変遷する様子を示している。図１８は、データフレームの形態を示している。データフレームは、１７２バイト×２×６行からなる２０６４バイトであり、そのなかに２０４８バイトのメインデータを含む。
【０１２２】
図１９は、データＩＤを示す、データＩＤは、４バイトで構成される。ビットｂ３１−ｂ２４の最初の１バイトは、データフィールド情報であり、３バイト（ビットｂ２３−ｂ０）は、データフィールド番号である。
【０１２３】
エンボスドデータゾーンの中のデータフィールド情報は、次のようになっている。セクターフォーマットタイプ、トラッキング方法、反射率、記録タイプ、エリアタイプ、データタイプ、層番号等の情報が含まれる。
【０１２４】
セクターフォーマットタイプ…１ｂならゾーンフォーマットタイプ、トラッキング方法…０ｂならピットトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…０１ｂでリードインエリア、データタイプ…０ｂでリードオンリーデータ、層番号…０ｂでデュアルレイヤーの層０或は、単一層ディスクを示し、１ｂでデュアルレイヤーの層１を示す。
【０１２５】
リライタブルデータゾーンの中のデータフィールド情報は、次のようになっている。
【０１２６】
セクターフォーマットタイプ…１ｂ  ならゾーンフォーマットタイプ、トラッキング方法…１ｂならグルーブトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…００ｂでデータエリア、０１ｂでリードインエリア、１０ｂでリードアウトエリア、データタイプ…１ｂでリライタブルデータ、層番号…０ｂでデュアルレイヤーの層０或は、単一層ディスクを示し、１ｂでデュアルレイヤーの層１を示す。これらのビットは、また上記のルールで割り当てられなければならない。
【０１２７】
次にデータＩＤのエラー検出コード（ＩＥＤ）について説明する。
【０１２８】
今、マトリックスに配置された各バイトが、Ｃｉ，ｊ（ｉ＝０〜１１、ｊ＝０〜１７１）
ＩＥＤのための各バイトがＣ０，ｊ（ｊ＝０〜４）とすると、ＩＥＤは、以下のように表せる。
【０１２９】
【数１】
2004253030.tif 000003
【０１３０】
ここで、
【数２】
2004253030.tif 000004
【０１３１】
【数３】
2004253030.tif 000005
次に６バイトのＲＳＶについて説明する。
【０１３２】
ＲＳＶの最初のバイトはスクランブルのための種情報として使用される。他の５バイトは、０ｈであり予約（ｒｅｓｅｒｖｅｄ）である。
【０１３３】
エラー検出コード（ＥＤＣ）は、４バイトのチェックコードであり、スクランブル前のデータフレームの２０６０バイトに付随している。データＩＤの最初のバイトのＭＳＢがｂ１６５１１であるとし、最後のバイトのＬＳＢがｂ０であるとする。すると、ＥＤＣのための各ビットｂｉ（ｉ＝３１〜０）は、
【数４】
2004253030.tif 000006
【０１３４】
ここで
【数５】
2004253030.tif 000007
【０１３５】
図２０（Ａ）は、スクランブルドフレームを作成するときに、フィードバックシフトレジスタに与える初期値の例を示し、図２０（Ｂ）は、スクランブルバイトを作成するためのフィードバックシフトレジスタを示している。１６種類のプリセット値が用意されている。
【０１３６】
ｒ７（ＭＳＢ）からｒ０（ＬＳＢ）が、８ビットずつシフトし、スクランブルバイトとして用いられる。図２０（Ａ）の初期プリセット番号は、データＩＤの４ビット（ｂ７（ＭＳＢ）〜ｂ４（ＬＳＢ））に等しい。データフレームのスクランブルの開始時には、ｒ１４〜ｒ０の初期値は、図２０（Ａ）のテーブルの初期プリセット値にセットしなければならない。
【０１３７】
１６個の連続するデータフレームに対して、同じ初期プリセット値が用いられる。次には、初期プリセット値が切り換えられ、１６個の連続するデータフレームに対しては、切り換わった同じプリセット値が用いられる。
【０１３８】
ｒ７〜ｒ０の初期値の下位８ビットは、スクランブルバイトＳ０として取り出される。その後、８ビットのシフトが行なわれ、次にスクランブルバイトが取り出され、２０４７回このような動作が繰り替えされる。ｒ７〜ｒ０より、スクランブルバイトＳ０〜Ｓ２０４７が取り出されると、データフレームは、メインバイトＤｋからスクランブルドバイトＤ’ｋとなる。このスクランブルドバイトＤ’ｋは、
【数６】
2004253030.tif 000008
となる。
【０１３９】
次に、ＥＣＣブロックの構成について説明する。（Ｄ）（Ｅ）
図２１にはＥＣＣブロックを示している。ＥＣＣブロックは、連続する３２個のスクランブルドフレームから形成されている。縦方向に１９２行＋１６行、横方向に（１７２＋１０）×２列が配置されている。Ｂ０，０、Ｂ１，０、…はそれぞれ１バイトである。ＰＯは、ＰＩは、エラー訂正コードであり、アウターパリティー、インナーパリティーである。
【０１４０】
図２１のＥＣＣブロックは、（６行×１７２バイト）単位が１スクランブルドフレームとして扱われる。このようにスクランブルドフレーム配置として書き直した図が、図２２である。つまり連続する３２個のスクランブルドフレームからなる。さらに、このシステムでは、（ブロック１８２バイト×２０７バイト）をペアとして扱う。左側のＥＣＣブロックの各スクランブルドフレームの番号にＬを付け、右側のＥＣＣブロックの各スクランブルドフレームの番号にＲを付けると、スクランブルドフレームは、図２２に示すように配置されている。つまり左側のブロックに左と右のスクランブルドフレームが交互に存在し、また右側のブロックにスクランブルドフレームが交互に存在する。
【０１４１】
つまり、ＥＣＣブロックは、３２個の連続スクランブルドフレームから形成される。奇数セクタの左半分の各行は、右半分の行と交換されている。１７２×２バイト×１９２行は１７２バイト×１２行×３２スクランブルドフレームに等しく、情報フィールドとなる。１６バイトのＰＯが、各１７２×２列にＲＳ（２０８，１９２，１７）のアウターコードを形成するために付加される。また１０バイトのＰＩ（ＲＳ（１８２，１７２，１１））が、左右のブロックの各２０８×２行に付加される。ＰＩは、ＰＯの行にも付加される。
【０１４２】
フレーム内の数字は、スクランブルドフレーム番号を示し、サフィックスのＲ，Ｌは、スクランブルドフレームの右側半分と、左側半分を意味する。図２１に示したＰＯ，ＰＩの生成は以下のような手順で行なわれる。
【０１４３】
先ず、列ｊ（ｊ＝０〜１７１と、ｊ＝１８２〜３５３）に対して、１６バイトのＢｉ，ｊ（ｉ＝１９２〜２０７）が付加される。このＢｉ，ｊは、次の多項式Ｒｊ（Ｘ）により定義されており、
この多項式は、アウターコードＲＳ（２０８，１９２，１７）を各１７２×２列に形成するものである。
【０１４４】
【数７】
2004253030.tif 000009
【０１４５】
ここで
【数８】
2004253030.tif 000010
【０１４６】
次に、行ｉ（ｉ＝０〜２０７）に対して、１０バイトのＢｉ，ｊ（ｊ＝１７２〜１８１、ｊ＝３５４〜３６３）が付加される。このＢｉ，ｊは、次の多項式Ｒｉ（Ｘ）により定義されており、
この多項式は、インナーコードＲＳ（１８２，１７２，１１）を（２０８×２）／２の各行に形成するものである
【数９】
2004253030.tif 000011
【０１４７】
ここで
【数１０】
2004253030.tif 000012
【０１４８】
【数１１】
2004253030.tif 000013
【０１４９】
ここで
【数１２】
2004253030.tif 000014
【０１５０】
【数１３】
2004253030.tif 000015
【０１５１】
図２１の各Ｂマトリックスの要素であるＢｉ，ｊは、２０８行×１８２×２列を構成している。このＢマトリックスは、Ｂｉ，ｊがＢｍ，ｎで再配置されるように、行間においてインターリーブされている。このインタリーブの規則は以下の式で表される。
【０１５２】
【数１４】
2004253030.tif 000016
【０１５３】
この結果、図２３に示す様に、１６のパリティー行は、１行ずつ分散される。つまり、１６のパリティー行は、２つの記録フレーム置きに対して、１行ずつ配置される。したがって、１２行からなる記録フレームは、１２行＋１行となる。この行インターリーブが行なわれた後、１３行×１８２バイトは、記録フレームとして参照される。したがって、行インターリーブが行なわれた後の、ＥＣＣブロックは、３２個の記録フレームである。１つの記録フレーム内には、図２２に示したように、右側と、左側のブロックの行が６行ずつ存在する。また、ＰＯは、左のブロック（１８２×２０８バイト）と、右のブロック（１８２×２０８バイト）間では、異なる行に位置するように配置されている。図では、１つの完結型のＥＣＣブロックとして示している。しかし、実際のデータ再生時には、このようなＥＣＣブロックが連続してエラー訂正処理部に到来する。このようなエラー訂正処理の訂正能力を向上するために、図２３に示すようなインターリーブ方式が採用された。
【０１５４】
次に、記録データフィールドの構成について説明する。
【０１５５】
１３行×１８２バイトの記録フレーム（２３６６バイト）が連続変調され、これに２つの同期コードが付加される。１つの同期コードは第０列の前、もう１つの同期コードは第９１番目の列の前に付加される。  データフィールドの開始時は、同期コードＳＹ０の状態は、ｓｔａｔｅ  １（図２５の状態１）である。記録データフィールドは、図２４に示すように、１３セット×２ｓｙｎｃ  フレームである。２９０１６チャンネルビット長の１つの記録データフィールドは、変調前は、２４１８バイトに等価である。
【０１５６】
図２４のＳＹ０−ＳＹ３は同期コード（ＳＹＮＣ）であり、図２５に示すコードの中から選択されたものである。図２４に記載されている数字２４、数字１０９２はチャンネルビット長である。
【０１５７】
図２４において偶数記録データフィールド（Ｅｖｅｎ  Ｒｅｃｏｒｄｅｄ  ｄａｔａ  ｆｉｅｌｄ）及び奇数記録データフィールド（Ｏｄｄ  Ｒｅｃｏｒｄｅｄ  ｄａｔａ  ｆｉｅｌｄ）のいずれも最後の２シンクフレーム（すなわち最後の“ＳＹＮＣ  ｃｏｄｅがＳＹ３”の部分とその直後の“シンクデータ”及び“ＳＹＮＣ  ｃｏｄｅがＳＹ１”の部分とその直後の“シンクデータ”が並んだ部分）内のシンクデータ領域に図２３で示したＰＯ（Ｐａｒｉｔｙ  Ｏｕｔ）の情報が挿入される。図２４（Ａ）と（Ｂ）は、図２３の一部である１２行分を取り出して示している。
【０１５８】
Ｅｖｅｎ  Ｒｅｃｏｒｄｅｄ  ｄａｔａ  ｆｉｅｌｄ  内の最後の２シンクフレーム箇所には図２２に示した“左側のＰＯの一部”が挿入され、Ｏｄｄ  Ｒｅｃｏｒｄｅｄ  ｄａｔａ  ｆｉｅｌｄ  内の最後の２シンクフレーム箇所には図２２に示した“右側のＰＯの一部”が挿入される。図２２に示すように１個のＥＣＣブロックはそれぞれ左右の“小ＥＣＣブロック”から構成され、セクター毎に交互に異なるＰＯグループ（左の小ＥＣＣブロックに属するＰＯか、右の左の小ＥＣＣブロックに属するＰＯか）のデーターが挿入される。
【０１５９】
同期コードＳＹ３，ＳＹ１が連続する左側のデータフィールドは、図２４の上段（Ａ）に示されており、同期コードＳＹ３，ＳＹ１が連続する右側のデータフィールドは、図２４の下段（Ｂ）に示されている。ＥＣＣブロックは上記の如く構成される。なお本発明のコンセプトでは、図２２に示したように、左右の行（６行毎）を入れ替える方式は必ずしも必要ではない。
【０１６０】
上記したように記録用ＥＣＣブロック、つまり３２データフレームは、図２３のブロックが変調されるとともに同期コードが付加された状態である。
【０１６１】
図２６（Ａ）には、記録用ＥＣＣブロックが、記録トラック上に物理的に配置された様子を模式的に示している。本発明では、記録用ＥＣＣブロックの前後にガードエリアが配置される。この前後のガードエリアのトータルは、図２３で示した１ＳＹＮＣ分に相当する。
【０１６２】
図２６（Ｂ）に示すようにこの記録データのかたまりは、０−６の物理セグメント（Ｐｈｓｉｃａｌ  ｓｅｇｍｅｎｔ）に分割されている。そして、１つの物理セグメントのフォーマットは、図２６（Ｃ）に示すように１７個のウォブルデータユニット（Ｗｏｂｂｌｅ  ｄａｔａ  ｕｎｉｔ）で形成される。
【０１６３】
そして１つのウォブルデータユニットは、図２６（Ｄ）に示すようなフォーマットである。即ち、先頭に１ｂ、０ｂの同期信号（２ビット）が配置され、次に実質的なデータ（３ビット）が配置される。データの１ビットは、４ウォブルで表されている。したがって、３ビット分は１２ウォブルである。同期信号の１ビットは、２ウォブルである。ウォブルデータユニットの残りの部分は０であり、無変調の６８ウォブルが存在する。ウォブルデータユニットの０〜１７（１７個）内の復調データが集合すると、所定の意味を持つデータとなる。
【０１６４】
上記のような物理構造、つまり１データセグメント＝７物理セグメント、１物理セグメント＝１７ウォブルデータユニット、１ウォブルデータユニット＝８４ウォブル、１ウォブル＝９３チャンネルビットとしている。
【０１６５】
１セクタは２６同期フレームである（図２４（Ａ）と（Ｂ）のシンクフレーム分）。１ＥＣＣブロックは３２セクタであることから、フレームで表すと２６×３２＝８３２シンクフレームである。ここで本発明ではガードエリアとして１シンクフレーム分を追加している。したがって、図２６では、８３２＋１＝８３３フレームとなる。８３３と言う数字を記録データブロック列とすると、８３３＝７×７×１７となり、７つのアドレスセグメントで１つの記録データブロックを構成することが出来る。つまり１つのセグメント長を１１９フレームとすると、１１９×７＝８３３となり、Ｅ＝２あるいはＥ＝４などでは割り切れない構成を実現することができる。このことの効果は、図６で説明した通りである。
【０１６６】
また、図２６（Ｄ）に示したように、ウォブルデータユニット内では無変調区間が存在する。この無変調区間では、安定した良質のウォブル信号（キャリア）を再現できるために、この区間を利用してウォブル信号を用いた位相同期処理を実現することが可能となる。つまり、データ再生側においては、安定したクロックを再生する必要があるが、その参照信号として無変調区間で再生されたウォブル信号を利用できる。
【０１６７】
図２７は、上記したウォブルデータユニットのレイアウト例を示している。ＳＹＮＣを示すウォブルデータユニットは、図２７（Ａ）のようなレイアウトであり、１（６ウォブル）、０（４ウォブル），１（６ウォブル）の３ビットと、残りの０ビットの連続（６８ウォブル：無変調）の構成となっている。具体的なデータ部でのウォブルデータユニットは、図２７（Ｂ）に示すようなレイアウトである（この構造は図２６（Ｄ）で説明した通りである）。更にモノトーン（ｍｏｎｏｔｏｎｅ）を表すウォブルデータユニットは、０ビットの連続であり（８４ウォブル：無変調）である。ここで、ビット０を表す場合と、ビット１を表す場合のウォブル波形は、ディスクの外側と内側に対して、図２７（Ｄ）に示すような位相である。
【０１６８】
図２８（Ａ）と図２８（Ｂ）は、次世代ＲＡＭと次世代Ｒの物理アドレスのレイアウトの例を示している。図２８（Ａ）の次世代ＲＡＭの物理アドレスから説明する。物理アドレスは、アドレスの先頭を示す同期（ＳＹＮＣ）信号、セグメントを表す信号、ゾーンを表す信号、セグメント情報（層を表す情報が含まれる）、パリティー、グルーブトラックの番号、ランドトラックの番号、及びモノトーンのデータを含むエリアで構成される。この物理アドレスは、１７個のウォブルデータユニットで表現される。ＳＹＮＣは、図２７（Ａ）で示したように３ビットで表される。セグメントは６ビット、ゾーンは５ビット、セグメント情報は６ビット、グルーブおよびランドトラックは１２ビットで表される。図２８（Ｂ）の次世代Ｒの物理アドレスは、アドレスの先頭を示す同期（ＳＹＮＣ）信号、セグメントを表す信号、セグメント情報（層を表す情報が含まれる）、ＣＲＣ（訂正コード）示す情報、及びモノトーンのデータを含むエリアで構成される。この物理アドレスは、１７個のウォブルデータユニットで表現される。ＳＹＮＣは、図２７（Ａ）で示したように３ビットで表される。セグメントは１８ビット、セグメント情報は６ビット、ＣＲＣは１２ビットで表される。
【０１６９】
図２９は、図２８（Ａ）に示したフォーマットで物理アドレスが書き込まれた次世代ＲＡＭの物理アドレスレイアウトを示している。グルーブ記録トラックに対するアドレスとしては、同期（ＳＹＮＣ）信号、セグメント、ゾーン、セグメント情報、パリティー、グルーブトラック番号、無効部、モノトーンの順番で配列されている。またランド記録トラックに対するアドレスとしては、同期（ＳＹＮＣ）信号、セグメント、ゾーン、セグメント情報、パリティー、無効部、ランドトラック番号、モノトーンの順番で配列されている。
【０１７０】
図３０は、次世代ＲＡＭにおけるゾーン境界部の一部を取り出して示している。このシステムでは、ゾーンの先頭（例えば、Ｆｉｒｓｔ  ｓｅｇｍｅｎｔ  ｏｆ  Ｚｏｎｅ（ｍ＋１））はランドトラックとしている。またゾーン境界（Ｚｏｎｅ  ｂｏｕｎｄａｒｙ）では、境界線の両側４トラックを未使用としている。図面上、白抜きの部分が未使用である。
【０１７１】
図３１は、次世代ＲＡＭにおける書き換え部分のレイアウトの例を示している。この発明では、データセグメントは、記録用のＥＣＣブロックの前後にガード領域を付加する。ここでＥＣＣブロックの前側では、例えば７１バイトのガード領域（Ｇｕａｒｄ１）、後側では、例えば２２バイトのガード領域（Ｇｕａｒｄ２）である。ガード領域は合計で９３バイトであり、これは丁度１（ＳＹＮＣ）フレーム分に相当する。
【０１７２】
ここで記録用のデータセグメントのランダムシフト値は、０〜１５（１６バイト未満）である。図３１では、ＥＣＣブロック（ｍ）が既に書き込まれ、一旦終了した様子を示している。次に、ＥＣＣブロック（ｍ＋１）から書込みがスタートした場合を示している。データ書込みが一旦終了したときは、最後にガード（Ｇｕａｒｄ３）（２４バイト分）が追加して書き込まれている。データセグメントが連続して書き込まれるときは、第３のガードは書き込まれることはなく、書込みが終了した最後のデータセグメントのみに、その最後に追加される。
【０１７３】
つながりの領域では、先行するデータセグメントのガード２と、次のデータセグメントのガード１とが、８バイト以上（７．７５バイト以上でもよい）が重なり、未記録領域が残らないようになっている。またＥＣＣ列の先頭は、最小３１バイトは、上書きされることがないように保証されている（図では区間３１＋Ｊ＋Ｋで示している）。またＥＣＣ列の末尾は最小６バイトは、上書きされることがないように保証されている（図では区間６＋Ｊ＋Ｋで示している）。Ｋは、先行するＥＣＣ列（ｍ）のランダムシフト値であり、Ｊバイトは次のＥＣＣ列（ｍ＋１）のランダムシフト値である。
【０１７４】
図３２は、次世代Ｒにおける書き換え部分のレイアウトの例を示している。この場合も、書込みの最後のデータセグメントのみに、８バイトの第３のガード（Ｇｕａｒｄ３）を付加するようにしている。また先行するデータセグメントの末尾側のガード２と、次のデータセグメントの先頭側のガード１とが、８バイト以上が重なり、未記録領域が残らないようになっている。このディスクでは、正常に再生されるときのガード１は、４７バイト、正常に再生されるときのガード２は２２バイトである。
【０１７５】
本発明では、トラックアドレスを表す場合、グレイコードも採用し、アドレス検出の精度の向上を図っている。本発明における書き換え可能形情報記録媒体では図３３に示すようにゾーン構造を取る。
【０１７６】
本発明では再生線速度      ：  ５．６ｍ／ｓ
チャネル長      ：  ０．０８６μｍ
トラックピッチ  ：  ０．３４μｍ
チャネル周波数  ：  ６４．８ＭＨｚ
記録データ（ＲＦ信号）  ：  （１，７）ＲＬＬ
ウォブル搬送波周波数  ：  約７００ｋＨｚ    （９３Ｔ／Ｗｏｂｂｌｅ）
変調位相差［ｄｅｇ］  ：  ±９０．０
Ｓｅｇｍｅｎｔ／ｔｒａｃｋ：１２〜２９セグメント
Ｚｏｎｅ            ：  １８ゾーン程度
としている。
【０１７７】
本発明では記録形情報記録媒体におけるアドレス情報はウォブル変調を用いてあらかじめ記録されている。ウォブル変調方式として±９０度（１８０度）の位相変調を用いると共にＮＲＺ（Ｎｏｎ  Ｒｅｔｕｒｅｎ  ｔｏ  Ｚｅｒｏ）方法を採用している。また、書き換え形情報記録媒体に対してはＬ／Ｇ（Ｌａｎｄ  ａｎｄ  Ｇｒｏｏｖｅ）記録方法を使っている。Ｌ／Ｇ記録方法でウォーブル変調方式を採用している所に本発明実施例の大きな特徴が有る。
【０１７８】
図３４を用いて具体的な説明を行う。本発明実施例では１アドレスビット（アドレスシンボルとも呼ぶ）領域５１１内を８ウォーブルまたは１２ウォーブルで表現し、１アドレスビット領域５１１内は至る所周波数および振幅と位相は一致している。また、アドレスビットの値として同じ値が連続する場合には各１アドレスビット領域５１１の境界部（図３４の“黒の三角印”を付けた部分）で同位相が継続し、アドレスビットが反転する場合にはウォーブルパターンの反転（位相の１８０度シフト）が起きる。
【０１７９】
情報記録媒体２２１上のアドレスを示す情報として本発明における書き換え可能形情報記録媒体ではゾーン識別情報であるゾーン番号情報とセグメントアドレス情報であるセグメント番号情報およびトラックアドレス情報を示すトラック番号情報の３種類のアドレス情報を持つ。セグメント番号は１周内の番号を意味し、トラック番号はゾーン内の番号を意味している。図３３に示すゾーン構造を採用した場合には上記アドレス情報の内ゾーン識別情報とセグメントアドレス情報は隣接トラック間で同じ値を取るが、トラックアドレス情報に関しては隣接トラック同士で異なるアドレス情報を取る。
【０１８０】
図３５に示すようにグルーブ領域５０１においてトラックアドレス情報として“  …  ０１１０  …  ”が記録され、グルーブ領域５０２においてトラックアドレス情報として“  …  ００１０  …  ”が記録され場合を考える。この場合、隣接するグルーブ領域で“１”と“０”の間に挟まれたランド領域５０３ではランド幅が周期的に変化し、ウォーブルによるアドレスビットが確定しない領域が発生する。本発明ではこの領域の事を“不定ビット領域５０４”と呼ぶ。この不定ビット領域５０４を集光スポットが通過すると、ランド幅が周期的に変化するため、ここから反射し、（図示しないが）対物レンズを通過して戻ってくるトータル光量が周期的に変化する。ランド内の不定ビット領域５０４内にも記録マークを形成するため、この記録マークに対する再生信号が上記の影響で周期的に変動し、再生信号検出特性を劣化（再生信号のエラーレイトの悪化）を引き起こすと言う問題が発生する。
【０１８１】
そこで、本発明では上記不定ビット５０４領域の発生頻度の低減を目指し、既存に知られている“グレイコード”もしくは前記グレイコードを改良し、本発明で新たに提案する。
【０１８２】
図３６にグレイコードを示す。１０進数で“１”変化する毎に“１ビットのみ変化”する（交番２進的になる）ところグレイコードの特徴がある。このグレイコードが図２８で説明したグルーブトラック番号、およびランドトラック番号を表すために利用されている。
【０１８３】
次に、本発明の記録系と、再生系の装置を示して説明する。
【０１８４】
図３７において、インターフェース部１４２にはデータが取り込まれる。取り込まれたメインデータは、データ付加部１６８に導かれ、ここで、ＥＣＣブロックを得るようなデータ処理が開始される。データＩＤ発生部１６５からデータＩＤが出力されデータ付加部１６８に与えられる。ＣＰＲ＿ＭＡＩデータ発生部１６７からは、コピープロテクトに関するデータが出力され、データ付加部１６５に与えられる。またプリセットデータ発生部１６６からは、プリセットデータが出力され、データ付加部１６５に与えられる。データ付加部１６８から出力されたデータは、先に説明したインターリーブ処理のようなデータ配置がデータ配置部分交換部１６３で行なわれ、またスクランブル回路１５７でメインデータ部のスクランブルが行なわれる。そして、スクランブル回路１５７の出力は、ＥＣＣエンコーディング回路１６１において、ＰＯ，ＰＩが付加されて、且つＰＯのインターリーブ（分配処理）が行なわれる。この結果得られた、ＥＣＣブロックは変調回路１５１に入力されて、変調信号となる。このとき、入力データに応じて、変調用変換テーブル１５３の変調コードが選択される。変調回路１５１からの変調データは、データ合成部１４４において、同期コード（ＳＹＮＣ）が付加される。同期コードは同期コード選択テーブル記録部１４７から、同期コード選択部１４６が選択している。この選択の際、同期コードとデータとの連続部分において“０”及び“１”のランが所定の範囲に納まるように、ＤＳＶ値計算部１４８が同期コードの選択を制御している。データ合成部１４４から情報記録再生部１４１に記録信号が与えられる。制御部１４３は、他のブロック全体を統括するためのものである。
【０１８５】
図３８には再生系を示している。情報記録再生部１４１から出力された信号は、ウォブル信号復調回路１５０、同期コード位置抽出部１４５、復調回路１５２に入力される。ウォブル信号復調回路１５０で復調されたウォブル信号は、例えばスピンドルモータ回転制御回路１６０の参照信号となる。同期コード抽出部１４５で抽出された同期コード（ＳＹＮＣ）は、復調回路１５２のタイミングを制御する。復調回路１５２では、変調信号を復調用変換テーブル記録部１５４に記録されている変換テーブルを用いて復調する。復調された復調信号は、ＥＣＣデコーディング回路１６２に入力される。ＥＣＣデコーディング回路１６２は、ＥＣＣブロックを処理する。即ちＰＯを元の状態にセットし、このＰＯ（１６バイト）とＰＩ（１０バイト）を用いてエラー訂正処理を行う。次にデスクランブル回路１５９は、メインデータ部のデスクランブルを施す。次に、データ配置部分交換部１６４が左右ブロックの交換されている行を、元のブロックの配置位置にもどす。この状態で、メインデータ抽出部１７３は、復調されたメインデータを抽出することができ、このデータは、インターフェース１４２を介して、出力される。さらにデータ配置部分交換部１６４の出力は、データＩＤ抽出部１７１に供給される。抽出されたデータＩＤは、認識データ及びタイミングデータとして制御部１４３に入力される。データＩＤは、デスクランブル回路１５８で一部がデスクランブルされる。また、エラーチェック部１７２において、エラーチェックが行なわれ、正常なＩＤではない場合には、再度のデータ取込が制御部１４３により実行される。
【０１８６】
【発明の効果】
以上説明したようにこの発明は、良好な高密度記録を行うことが出来るし、ランド・グルーブ光ディスクにおけるフォーマット情報の記録方式としてウォブル方式を採用し、フォーマット情報を安定して検出することができる。
【図面の簡単な説明】
【図１】本発明に関連する光ディスクの概略説明図。
【図２】光ディスクにデータを記録するためのＥＣＣブロックとその記録データ列の説明図。
【図３】上記記録データ列に含まれる繰り返しデータ部の説明図。
【図４】上記記録データ列に含まれる繰り返しデータ部と光ディスクのアドレスセグメントとの関係を説明するための図。
【図５】ウォブル変調波の情報部分の説明図。
【図６】上記記録データ列に含まれる繰り返しデータ部と、上記アドレスセグメントにおけるウォブル変調波の情報部分との関係を示す説明図。
【図７】記録データ列における追加同期フレームの繋ぎ目の説明図。
【図８】ゾーンＣＡＶ構成の光ディスクの例を示す図。
【図９】ランド・グルーブ型の光ディスクのフォーマット構成例を示す説明図。
【図１０】この発明に係る光ディスク装置の構成例を示す図。
【図１１】ウォブルによってフォーマット情報を記録した記録トラック構造とその検出信号のの例を示す図。
【図１２】記録トラックの固有情報量を大幅に減らすことが出来るように構成したアドレスセグメントの例を示す説明図。
【図１３】グレーコードを示す図。
【図１４】ウォブルの位相変調を用いてフォーマット情報を記載した実施例を示す説明図。
【図１５】ウォブルにより形成したフォーマット情報の第２領域近傍の配置とウォブルからの検出再生信号を示す図。
【図１６】本発明に係る記録再生装置の実施例を示す図。
【図１７】メインデータから記録フレームまでデータが変遷し、記録媒体に記録されるまでの様子を示す説明図。
【図１８】記録データ列を得る場合の初期のデータフレームの形態を示す説明図。
【図１９】図１８のデータＩＤの説明図。
【図２０】スクランブルドフレームを作成するときにフィードバックシフトレジスタに与える初期値の例と、スクランブルバイトを作成するためのフィードバックシフトレジスタの例を示す図。
【図２１】連続する３２個のフレームから形成されるＥＣＣブロックを示す図。
【図２２】図２１のＥＣＣブロックをスクランブルドフレーム配置として書き直して示す図。
【図２３】ＥＣＣブロックにおいて１６のパリティー行が分散された様子を示す説明図。
【図２４】ＥＣＣブロックのデータが変調され、かつ同期コードが付加されて記録データフィールドとなった様子を示す説明図。
【図２５】各種の同期コード（ＳＹＮＣ）の例を示す説明図。
【図２６】記録用ＥＣＣブロックが、記録トラック上に物理的に配置された様子を模式的に示す図。
【図２７】ウォブルデータユニットのレイアウト例を示す説明図。
【図２８】次世代ＲＡＭと次世代Ｒの物理アドレスのレイアウトの例を示す図。
【図２９】次世代ＲＡＭの物理アドレスレイアウトをさらに詳しく示す図。
【図３０】次世代ＲＡＭにおけるゾーン境界部の一部を取り出して示す図。
【図３１】次世代ＲＡＭにおける書き換え部分のレイアウトの例を示す図。
【図３２】次世代Ｒにおける書き換え部分のレイアウトの例を示す図。
【図３３】書き換え可能形情報記録媒体のゾーン構造の説明図。
【図３４】ウォブル変調の説明図。
【図３５】ランド・グルーブ記録でのウォブル変調部の説明図。
【図３６】グレーコード例を示す図。
【図３７】本発明に係る記録系の装置の例を示す説明図。
【図３８】本発明に係る再生系の装置の例を示す説明図。
【符号の説明】
１…光ディスク、２…記録トラック、３…アドレスセグメント、４…フォーマット変調部、５…グルーブ記録トラック、６…ランド記録トラック、７…第１の領域、８…第２の領域、９…第３の領域、１０…スピンドル、１１…光ヘッド、１２…フォーマット検出回路、１３…データ再生回路、１５…ＥＣＣ構成回路、１６…記録データブロック列生成回路、１７…ウォブル同期クロック生成回路、１８…ランド・グルーブ判定回路、１９…フォーマット検出回路。
【図１】
2004253030.tif 000017
【図２】
2004253030.tif 000018
【図３】
2004253030.tif 000019
【図４】
2004253030.tif 000020
【図５】
2004253030.tif 000021
【図６】
2004253030.tif 000022
【図７】
2004253030.tif 000023
【図８】
2004253030.tif 000024
【図９】
2004253030.tif 000025
【図１０】
2004253030.tif 000026
【図１１】
2004253030.tif 000027
【図１２】
2004253030.tif 000028
【図１３】
2004253030.tif 000029
【図１４】
2004253030.tif 000030
【図１５】
2004253030.tif 000031
【図１６】
2004253030.tif 000032
【図１７】
2004253030.tif 000033
【図１８】
2004253030.tif 000034
【図１９】
2004253030.tif 000035
【図２０】
2004253030.tif 000036
【図２１】
2004253030.tif 000037
【図２２】
2004253030.tif 000038
【図２３】
2004253030.tif 000039
【図２４】
2004253030.tif 000040
【図２５】
2004253030.tif 000041
【図２６】
2004253030.tif 000042
【図２７】
2004253030.tif 000043
【図２８】
2004253030.tif 000044
【図２９】
2004253030.tif 000045
【図３０】
2004253030.tif 000046
【図３１】
2004253030.tif 000047
【図３２】
2004253030.tif 000048
【図３３】
2004253030.tif 000049
【図３４】
2004253030.tif 000050
【図３５】
2004253030.tif 000051
【図３６】
2004253030.tif 000052
【図３７】
2004253030.tif 000053
【図３８】
2004253030.tif 000054